【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
レンズユニットを透過した光束を受けて画像信号を生成する撮像素子と、
前記撮像素子にて得られた画像信号から、前記画像信号が生成されたときの前記レンズユニットの露光条件における周辺光量落ちの補正量を算出し、メモリに記憶させる算出手段と、
前記算出手段で算出した補正量を用いて、前記撮像素子にて生成された画像信号を補正する補正手段と、を有し、
前記レンズユニットの露光条件は、前記レンズユニットにおける絞りの駆動量および射出瞳位置の少なくとも一方を含み、
前記算出手段は、前記レンズユニットの第１の露光条件において前記撮像素子にて得られた第１の画像信号と、前記第１の露光条件とは異なる第２の露光条件において前記撮像素子にて得られた第２の画像信号との差分より、前記第２の露光条件における周辺光量落ちの補正量を算出することを特徴とする撮像装置。
【請求項２】
前記第１の露光条件は、周辺光量落ちによる影響が少なくなるように、前記レンズユニットにおける絞りの駆動量および射出瞳位置を設定した条件であることを特徴とする請求項１に記載の撮像装置。
【請求項３】
前記第１の露光条件は、前記レンズユニットの絞りを最大まで絞り込んだ条件であることを特徴とする請求項１又は２に記載の撮像装置。
【請求項４】
レンズユニットを透過した光束を受けて画像信号を生成する撮像素子と、
前記撮像素子にて得られた画像信号から、前記画像信号が生成されたときの前記レンズユニットの露光条件における周辺光量落ちの補正量を算出し、メモリに記憶させる算出手段と、
前記算出手段で算出した補正量を用いて、前記撮像素子にて生成された画像信号を補正する補正手段と、を有し、
前記レンズユニットの露光条件は、前記レンズユニットにおける絞りの駆動量および射出瞳位置の少なくとも一方を含み、
前記算出手段は、前記レンズユニットの第１の露光条件において前記撮像素子にて得られた画像信号を前記補正手段にて補正して得られた第１の画像信号と、前記第１の露光条件とは異なる第２の露光条件において前記撮像素子にて得られた第２の画像信号との差分より、前記第２の露光条件における周辺光量落ちの補正量を算出することを特徴とする撮像装置。
【請求項５】
前記撮像素子で得られた画像信号に対して画像処理を行い、モニタに順次表示するライブビューモードの実行手段を更に有し、
前記実行手段によるライブビューモードの実行に際し、前記算出手段が周辺光量落ちの補正量を算出することを特徴とする請求項４記載の撮像装置。
【請求項６】
前記算出手段は、前記レンズユニットの露光条件が前記第２の露光条件に変更され、かつ、前記第２の露光条件における周辺光量落ちの補正量が前記メモリに記憶されていない場合に、前記第２の露光条件における周辺光量落ちの補正量を算出することを特徴とする請求項１乃至５のいずれか一項に記載の撮像装置。
【請求項７】
前記算出手段は、前記補正手段で補正された画像信号を用いて測光演算を行うことを特徴とする請求項１乃至６のいずれか一項に記載の撮像装置。
【請求項８】
前記算出手段は、像高位置毎の補正量を求めることを特徴とする請求項１乃至７のいずれか一項に記載の撮像装置。
【請求項９】
前記算出手段は、算出した周辺光量落ちの補正量をレンズ識別子に対応させて前記メモリに記憶させることを特徴とする請求項１乃至８のいずれか一項に記載の撮像装置。
【請求項１０】
撮像素子が、レンズユニットを透過した光束を受けて画像信号を生成するステップと、
算出手段が、前記撮像素子にて得られた画像信号から、前記画像信号が生成されたときの前記レンズユニットの露光条件における周辺光量落ちの補正量を算出し、メモリに記憶させるステップと、
補正手段が、前記算出手段で算出した補正量を用いて、前記撮像素子にて生成された画像信号を補正するステップと、を有し、
前記レンズユニットの露光条件は、前記レンズユニットにおける絞りの駆動量および射出瞳位置の少なくとも一方を含み、
周辺光量落ちの補正量を算出するステップにおいて、前記算出手段は、前記レンズユニットの第１の露光条件において前記撮像素子にて得られた第１の画像信号と、前記第１の露光条件とは異なる第２の露光条件において前記撮像素子にて得られた第２の画像信号との差分より、前記第２の露光条件における周辺光量落ちの補正量を算出することを特徴とする撮像装置の制御方法。
【請求項１１】
撮像素子が、レンズユニットを透過した光束を受けて画像信号を生成するステップと、
算出手段が、前記撮像素子にて得られた画像信号から、前記画像信号が生成されたときの前記レンズユニットの露光条件における周辺光量落ちの補正量を算出し、メモリに記憶させるステップと、
補正手段が、前記算出手段で算出した補正量を用いて、前記撮像素子にて生成された画像信号を補正するステップと、を有し、
前記レンズユニットの露光条件は、前記レンズユニットにおける絞りの駆動量および射出瞳位置の少なくとも一方を含み、
周辺光量落ちの補正量を算出するステップにおいて、前記算出手段は、前記レンズユニットの第１の露光条件において前記撮像素子にて得られた画像信号を前記補正手段にて補正して得られた第１の画像信号と、前記第１の露光条件とは異なる第２の露光条件において前記撮像素子にて得られた第２の画像信号との差分より、前記第２の露光条件における周辺光量落ちの補正量を算出することを特徴とする撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は、撮像装置及びその制御方法に関し、特に、レンズの周辺光量落ち補正技術に特徴のある撮像装置及びその制御方法に関する。
【手続補正４】
【補正対象書類名】明細書
【補正対象項目名】０００２
【補正方法】変更
【補正の内容】
【０００２】
現在、ＣＭＯＳセンサやＣＣＤ等に代表される固体撮像素子で被写体像を受光し、電気的に画像信号を記録するデジタルカメラでは、撮影レンズの光軸付近と光軸より離れた周辺部において、固体撮像素子に入射される光の入射角が異なる。これにより、いわゆる「けられ」が発生し、周辺部の感度が低下するシェーディングという問題がある。
【手続補正５】
【補正対象書類名】明細書
【補正対象項目名】０００３
【補正方法】変更
【補正の内容】
【０００３】
更に、固体撮像素子に入射される光の入射角は、撮影レンズの射出瞳位置や絞りの状態によって変化するため、シェーディング形状も必然的に変化する。しかし、すべての射出瞳位置と絞り状態の組み合わせに対して、補正データを持つことは多くのメモリ領域を必要とする。
【手続補正６】
【補正対象書類名】明細書
【補正対象項目名】０００５
【補正方法】変更
【補正の内容】
【０００５】
また、特定のカメラボディに内蔵された固体撮像素子の違いにより、撮像素子の大きさや画素数、マイクロレンズの構成が異なるためシェーディング形状は変化する。
【手続補正７】
【補正対象書類名】明細書
【補正対象項目名】０００８
【補正方法】変更
【補正の内容】
【０００８】
本発明の目的は、レンズの種類の如何に関わらず、レンズの周辺光量落ち補正を行うことができ、その結果、測光精度の低下を防ぐことができる撮像装置及びその制御方法を提供することにある。
【手続補正８】
【補正対象書類名】明細書
【補正対象項目名】０００９
【補正方法】変更
【補正の内容】
【０００９】
上記目的を達成するために、請求項１記載の撮像装置は、レンズユニットを透過した光束を受けて画像信号を生成する撮像素子と、前記撮像素子にて得られた画像信号から、前記画像信号が生成されたときの前記レンズユニットの露光条件における周辺光量落ちの補正量を算出し、メモリに記憶させる算出手段と、前記算出手段で算出した補正量を用いて、前記撮像素子にて生成された画像信号を補正する補正手段と、を有し、前記レンズユニットの露光条件は、前記レンズユニットにおける絞りの駆動量および射出瞳位置の少なくとも一方を含み、前記算出手段は、前記レンズユニットの第１の露光条件において前記撮像素子にて得られた第１の画像信号と、前記第１の露光条件とは異なる第２の露光条件において前記撮像素子にて得られた第２の画像信号との差分より、前記第２の露光条件における周辺光量落ちの補正量を算出することを特徴とする。
【手続補正９】
【補正対象書類名】明細書
【補正対象項目名】００１０
【補正方法】変更
【補正の内容】
【００１０】
本発明によれば、レンズの種類の如何に関わらず、レンズの周辺光量落ち補正を行うことができ、その結果、測光精度の低下を防ぐことができる。